(57)【要約】【課題】身体（特に腕）への負担が著しく抑制した状態で手作業を行える椅子を提供する。【手段】椅子は、キャスター付きの脚装置１と、サドル状の座３と、左右の肘サポート５とを備えている。肘サポート５は、枝フレーム１７から分岐した枝フレーム１７の先端にスライド自在で水平回転自在に取付けられている。肘サポート５は使用者の腕の動きに追従して位置と姿勢とが自在に変わるため、人は肘サポート５に肘を当てた状態で様々の手作業を行える。このため、物を持った作業であっても疲労を格段に抑制した状態で行える。【選択図】図２
2008062014.tif 000002
【特許請求の範囲】
【請求項１】
人が腰掛けることのできる座と、着座した人が向かい合うように配置された支柱とを備えており、前記支柱に、着座した人が手作業できる状態で片肘ずつを載せ得る左右一対の肘サポートを互いに分離した状態に設けている、
椅子。
【請求項２】
前記座は座受けベースを介して脚装置にて水平回転自在に支持されている一方、前記支柱は座と一体に水平旋回し得るように座又は座受けベースに取付けられており、前記支柱の上部には左右に分岐した枝フレームが一体に設けられており、左右枝フレームの先端部にそれぞれ肘サポートが水平回転可能に取付けられており、更に、使用者が肘サポートに肘を載せた状態でもたれ掛かり得る背もたれは備えておらず、人は座に跨がる状態で腰掛け得るようになっている、
請求項１に記載した椅子。
【請求項３】
前記肘サポートは平面視で細長い形状になっており、この肘サポートが、前記枝フレームの先端に設けた支軸に、長手方向に沿った方向にスライド自在でかつ支軸を中心に水平回転し得る状態に取付けられており、更に、前記左右の肘サポートは、直線状に並んだ姿勢から平面視で略平行に延びる姿勢又は逆ハの字状になる姿勢までの範囲で左右外側に水平回転し得るように枝フレームに取付けられている、
請求項２に記載した椅子。
【発明の詳細な説明】
【技術分野】
【０００１】
本願発明は、人が手作業を行うのに好適な椅子に関するものである。
【背景技術】
【０００２】
人が一定の場所で手作業を行うにおいて、椅子に腰掛けて作業することが多い。椅子に腰掛けて行う手作業の内容は様々である。例えば、机を使用した事務作業、マウス操作やキーボード操作、工場のラインにおける組み立てや検査、テーブル上に置いたワークの組み立て・加工・処理、ベッドに寝た人や椅子に腰掛けた人を対象にした介助サービス（例えば食事の世話、身体のマッサージやケア）、等である。
【０００３】
椅子に腰掛けて手作業をする場合、一般には、腕全体を伸ばして作業をしたり、上膊（二の腕）は略下向きにして下膊（前膊）を伸ばして作業をしたりしているが、いずれにしても少なくとも手先は自由端になっているため、腕が疲れるという問題がある。
【０００４】
他方、従来から肘当てを備えた椅子は存在しているが、例えばオフィス用回転椅子のような通常の椅子の肘当ては腕を休ませることを主たる目的にしており、一般には、椅子において肘当てを手作業の補助に使用するということは成されてはいない。
【０００５】
但し、肘当てを手作業の補助に用いるという着想が皆無という訳ではなく、例えば特許文献１には、パソコン操作（キーボード操作・マウス操作）に際して腕が疲れないものとして、通常の肘当ての先端部に人の肘（関節部）が載る補助パッドを水平旋回自在に取り付けることが開示されており、特許文献２には、着座者が片肘を付いた状態でパチンコ機のハンドルを操作できる椅子が開示されている。
【０００６】
また、特許文献３には、背もたれを横長のバー状の形態と成して、背もたれを肘当て（或いは手首当て）に使用することを可能ならしめることでキーボード操作の便宜に供した椅子が開示されている。また、本願出願人は、特許文献４において、胸当てと背もたれとに兼用できる補助体を備えた椅子を提案した。
【０００７】
更に、特許文献５には腹当てと肘当てとを設けた健康増進用椅子が開示されており、特許文献６には、背もたれに肘当て部を一体に形成した一種の姿勢矯正用椅子が開示されている。なお、治療用の椅子として、胸当てと肘当てとを備えたもの（特許文献７）や肘当てと頭当てとを備えたもの（特許文献８）も提案されている。
【特許文献１】特開平１０−２４８６７３号公報
【特許文献２】特開平６−２４５８４７号公報
【特許文献３】実開平５−２３９５８号公報
【特許文献４】特開２００５−２１１４６８号公報
【特許文献５】実開２００２−１２５８０３号公報
【特許文献６】特公平３−４２０８６号公報
【特許文献７】特公平６−６９４６９号公報
【特許文献８】実公昭６２−１４８５９号公報
【発明の開示】
【発明が解決しようとする課題】
【０００８】
椅子に腰掛けて作業を行う場合、物（例えば組み立てや検査・加工では工具類や部品類、食事介助の場合は食器類）を持つことが多い。このように物を持って作業を行う場合、腕の疲れが倍加するのみならず、疲れや肩こり・だるさといった障害を誘発したり、或いは、腕をかばうために身体が前屈み状態になることにより、腰痛や胃腸障害のような疾病が発生しやすくなったりしている。
【０００９】
従って、着座状態で作業を行うに際して人の身体にかかる負担を軽減できると、作業者の健康を確保できるのみならず、ワーカーの疾病・障害が予防されることにより、医療費を抑制できると共に作業速度のアップや欠勤率低下によって生産性も向上させることができると言える。
【００１０】
しかし、既述のとおり従来から肘当て機能を有する椅子は各種のものが開示されているものの、これらは、人が物を持って作業を行うにおいて使用者の身体的負担を軽減するという目的意識の下に成されたものではなく、このため、手作業用に使用したとしても使用者の負担軽減等の効果を十分に発揮できるとは言い難い。見方を変えて述べると、現状では、人が腰掛けた状態で手を動かして作業を行うための椅子として、腕や身体の動かし易さ、身体や腕の支持安定性、堅牢性、といった視点に立って開発されたものはなかったと言える。
【００１１】
本願発明は、このような現状を改善すべく成されたものである。
【課題を解決するための手段】
【００１２】
請求項１の発明に係る椅子は、人が腰掛けることのできる座と、着座した人が向かい合うように配置された支柱とを備えており、前記支柱に、着座した人が手作業できる状態で片肘ずつを載せ得る左右一対の肘サポート（肘当てと呼んでも良い）を互いに分離した状態に設けている。
【００１３】
請求項２の発明の椅子は、請求項１において、前記座は座受けベースを介して脚装置にて水平回転自在に支持されている一方、前記支柱は座と一体に水平旋回し得るように座又は座受けベースに取付けられており、前記支柱の上部には左右に分岐した枝フレームが一体に設けられており、左右枝フレームの先端部にそれぞれ肘サポートが水平回転可能に取付けられており、更に、使用者が肘サポートに肘を載せた状態でもたれ掛かり得る背もたれは備えておらず、人は座に跨がる状態で腰掛け得るようになっている。
【００１４】
更に請求項３の発明の椅子は、請求項２において、前記肘サポートは平面視で細長い形状になっており、この肘サポートが、前記枝フレームの先端に設けた支軸に、長手方向に沿った方向にスライド自在でかつ支軸を中心に水平回転し得る状態に取付けられており、更に、前記左右の肘サポートは、直線状に並んだ姿勢から平面視で略平行に延びる姿勢又は逆ハの字状になる姿勢までの範囲で左右外側に水平回転し得るように枝フレームに取付けられている。
【発明の効果】
【００１５】
本願発明によると、人は肘を肘サポートに当てた状態で作業を行えるため、腕の重さや手に持った物の重さが上半身への負担になることがないばかりか、左右の腕によって上半身が支えるれることにもなる。このため、人の身体に対する負担が著しく軽減されて、工具や部品等の物を持った作業（或いは人の身体の一部を持ち上げたような介助作業）であっても、身体への負担を著しく軽減できる。
【００１６】
そして、肘サポートは左右に分離しているため、左右の肘を肘サポートを載せた状態で胸を前後方向に大きく移動させたり左右にスイングさせたりすることが可能であり、このため上半身を動かし易くて作業も行いやすい。更に、左右の肘サポートは支柱に取付けられているため高い支持強度を有しており、このため、比較的重い物を扱う作業や肘サポートに体重が掛かる中腰での作業も安定良く安全に行うことができる。
【００１７】
請求項２のように構成すると、左右の肘サポートは水平回転し得るため、腕を自在に開閉できて作業は一層行い易くなる。また、請求項２では左右の肘サポートを別々の支柱で支持することも可能であるが、請求項２のように１本の支柱で左右の肘サポートを支持すると構造がシンプルになるのみならず、支柱は使用者の左右足の間に位置しているため支柱が使用者の邪魔になることもない。
【００１８】
請求項３のように構成すると、肘サポートが細長いことにより、肘の関節から手首寄りの下膊を広い範囲にわたって支持できるため、腕の特定部位に負担が集中することを防止して腕に対する負担をより軽減することができ、また、腕の姿勢が安定しているため細かい作業も行い易い利点がある。
【００１９】
更に、請求項３では肘サポートはスライド自在で且つ水平回転自在であるため、腕の位置や姿勢の変化に追従して肘サポートが水平動するため、人は左右の腕の間隔を広狭変えたり姿勢を変えたりすることを極めてスムースに行うことができ、このため手首を前後左右の広い範囲にわたって自由に動かすことができて使い勝手を格段に向上させることができる（例えば、上半身を左右いずれかの方向にねじったり、一方の腕は前方に伸ばして他方の腕は手前に引いたり、といった動作も楽に行える。）。
【００２０】
ところで、人が腕をＬ字状に曲げた状態で下膊を左右外側に広げる場合、肩の関節の構造に基因して腕を水平方向に広げる得る角度には限度がある。そして、肘サポートに肘を載せた状態では腕はＬ字状に曲がっているため、何らかの弾みで下膊を広げ過ぎると障害の原因になる虞がある。この点、請求項３のように構成すると、肘サポートが過度に広がり変形することを防止できるため、肩への負担を防止又は抑制できる利点がある。
【発明を実施するための最良の形態】
【００２１】
次に、本願発明の実施形態を図面に基づいて説明する。図１〜図７では第１実施形態を示しており、図８〜図１２では第２実施形態を示している。以下、第１実施形態から説明する。
【００２２】
(1).第１実施形態の概要
図１のうち（Ａ）は椅子の斜視図で（Ｂ）は正面図、図２のうち（Ａ）は使用状態の背面斜視図で（Ｂ）（Ｃ）は平面図であり、まず、これらの図に基づいて椅子の概要を説明する。
【００２３】
椅子は、主要構成要素として、脚装置１と座受けベース２と座３と支柱４と左右の肘サポート５とを備えている。座受けベース２は脚装置１の上端に固定されており、座３と支柱４は座受けベース２に取付けられており、肘サポート５は支柱４に取付けられている。
【００２４】
脚装置１は、高さ調節自在な脚支柱（ガスシリンダ）６とこれから放射状に延びる複数本（５本）の枝足７と各枝足７の上面に溶接によって固着された足載せ用のリング体８とを備えた構成であり、各枝足７の先端にはキャスター９を取り付けている。詳細な構造は省略するが、キャスター９は、人が着座するとロック（ブレーキ）がかかって回転不能になるものを使用している。従って、作業中に移動することを防止できる。脚支柱６であるガスシリンダはロック解除用のレバー１０が予め組み込まれている。
【００２５】
座受けベース２は金属板製（ダイキャスト製や樹脂製でも良い）であって上向きに開口した箱状に形成されており、座受けベース２に脚支柱６の上端が嵌着されている。他方、座３は合板等の木製基板１１の上面にクッション１２を張った構造であり、平面視形状は、支柱４に近い部分を先窄まり部３ａと成していて自転車のサドルに似た形状になっている。支柱４は支持アーム１３を介して座受けベース２に取り付けられており、支持アーム１３はばねに抗して若干の角度だけ下向き回動するように設定されている。
【００２６】
支持アーム１３の先端部は上下に延びる支持筒１４で構成されており、支持筒１４に支柱４がクランプ体１５を介して高さ調節可能に支持されている。クランプ体１５は回転式ハンドル１６を有しており、ハンドル１６を一方向に回転させると支柱４を任意の高さに昇降させることができ、ハンドル１６を他方向に回転させるとクランプ体１６が支柱４に締め付けられて支柱４は支持筒１４で落下不能に保持される。クランプ体１５は支柱４の高さ調節手段の一例である。なお、支柱４としてガスシリンダを使用することも可能である。
【００２７】
支柱４は金属製の丸パイプ（鋼管やアルミ管）からなっており、その上端には左右の枝フレーム１７が溶接によって固着されている。枝フレーム１７は楕円形又は小判肩形であって先端に行くに従って高さが高くなるように緩い角度で傾斜している。肘サポート５は平面視で略長方形の細長い形態であり、その長手方向にスライド自在であり、かつ、スライドさせた任意の位置において水平回動させることができる。
【００２８】
また、図２（Ｂ）では左右の肘サポート５を平面視で同一直線状に並べた基準姿勢を示しており、右の肘サポート５は基準姿勢から時計回りに所定角度回転させることができ、左の肘サポート５は基準姿勢から半時計回りに所定角度だけ回転させることができる。図２（Ａ）では左右の肘サポート５を平面視でハの字に配置した状態を示しており、一般には、この姿勢で作業を行うことが多いと言える。以下、各部位の詳細を説明する。
【００２９】
(2).座３支持アームの支持構造
まず、座と支持アーム１３の支持構造を図３に基づいて説明する。図３のうち（Ａ）は図２（Ｂ）における座３のみの III-III視断面図、（Ｂ）は他の部材も表示した状態での図２（Ｂ）の III-III視断面図である。符号２０はクッション１２を覆うクロス（表皮材）である。脚装置１を構成する脚支柱６の上端部は座受けベース２に固定されている。そして、座受けベース２はビス（図示せず）で座３の基板１１に固定されている。
【００３０】
また、図３（Ｂ）に示すように、支持アーム１３は上向きに開口した樋状（コ字状）の受け部材２１に固着されており、受け部材２１の基端部は座受けベース２の内部に配置した軸受けブラケット２０にピン２０′によって連結されている。また、座受けベース２のうち脚支柱６から支柱４の側にずれた部位にはばね受け２２が下向きに突設されており、これに収納したばね２３で支持アーム１３を支持している（ばね２３に代えてゴム等の軟質弾性体も使用できる。）。支持アーム１３は、座受けベース２の後端縁に形成した切欠き溝２４の範囲内において後傾動し得る。
【００３１】
座３における先窄まり部３ａの左右両側面は平面視で外向き凹状に凹んだ凹面３ｂになっており、着座した人は、凹面３ｂの箇所に大腿部を位置させることになる。そして、本実施形態では、座３のクッション１２の周縁部のうち先窄まり部３ａを除いた部分を高さの高い土手部１２ａと成している。このため、着座した人は臀部を後ろ向きずれ不能に支えられた状態で肘を肘サポート５にしっかりと付くことができる。土手部１２ａの左右両端寄り部位は端に行くに従って高さが徐々に低くなっている。
【００３２】
着座した状態で臀部が後ろ向きにずれることを防止する手段としては、例えば特許文献８に開示されているように、椅子（クッション）の上面のうち後部を側面視で後傾状に傾斜させることも可能であるが、この場合は上半身が前傾気味になって作業をしにくい場合がある。これに対して本実施形態では、座３の着座面は水平状を保持しつつ身体の後ろ向きずれ移動が土手部１２ａで阻止されるため、例えば上半身を起こした状態であっても肘サポート５にしっかりと肘を突っ張らせることができる。
【００３３】
もとより、作業内容によっては上半身を前傾させた方が良い場合や前傾姿勢を好む人もいるであろうが、本実施形態では人の大腿部が先窄まり部３ａの凹面３ｂの箇所に位置していることにより、大腿部に対する突き上げ感を感じることなく上半身を前傾させることができる（すなわち、自由な姿勢を採り得る。）。座３を段階的に又は無段階的に前傾させる機構を採用することも可能である。
【００３４】
図２（Ａ）に示す使用状態では使用者は両足を支柱４の左右両側に位置させているが、左右の足を支柱４の片側に寄せた状態で着座して作業を行うことも可能である。これは一種のチョイ掛けで人は身体をねじった状態で両肘を肘サポート５に付くことになるが、着座時間が僅かで椅子への乗り降りを頻繁に行うような場合は、このような使用態様も有り得る（この場合、第２実施形態のように座３を座受けベース２に水平回転自在に取り付けるのが好ましい。）。また、リラックス状態での使用態様として、支柱４を背にして両肘又は片肘を肘サポート５に載せるといったことも可能である。
【００３５】
(3).肘サポートの取付け構造
次に、肘サポート５の取付け構造を主として図４〜図７に基づいて説明する。図４は左の肘サポート５を中心にして描いた部分正面図、図５は図４及び図７（Ａ）の V-V視断面図、図６のうち（Ａ）は肘サポート５の取付けの構造を示す分離斜視図で（Ｂ）は平面図、図７のうち（Ａ）は図５ VII-VII視断面図で（Ｂ）は（Ａ）のＢ−Ｂ視断面図である。
【００３６】
例えば図７（Ａ）に示すように、枝フレーム１７の先端には上下に開口した筒体２５が溶接によって固着されており、この筒体２５に、長方形で箱形のレールブラケット２６がベースブラケット２７を介して水平回転自在に取付けられている。レールブラケット２６は金属板製であって長手方向の前端と後端とを有していて両端には樹脂製のキャップ２８が装着されている。
【００３７】
他方、ベースブラケット２７は１枚ずつの背板２７ａと側板２７ｂを有する平断面Ｌ字状で背板２７ａには水平状の上板２７ｃと下板２７ｄとが一体に形成されている。そして、側板２７ｂは上に行くほど左右巾が大きくなる台形状に形成されており、また、上板２７ｃの張り出し寸法は下板２７ｄの張り出し寸法よりも大きくなっている（勿論、他の形態でも良い。）。
【００３８】
そして、レールブラケット２６とベースブラケット２７とは上下に重なった状態に溶接で一体化されており、かつ、ボルト２８とナット２９とで筒体２５に回転可能に連結されている。ボルト２８はレールブラケット２６の下面板２６ａとベースブラケット２７の上下板２７ｃ，２７ｄとに貫通しており、また、レールブラケット２６の上面板２６ｂにはボルト２９の頭を通すための透かし穴３１が空いている。図４に示すようにナット３０には保護キャップ３２を取り付けているが、袋ナットを使用するとキャップ３２は不要になる。
【００３９】
筒体２５にはボルト２９が嵌まるフランジ付きメタルブッシュ２５ａが嵌め込まれている。メタルブッシュ２５ａは本体が金属製でその表面に樹脂層をコーティングしたものであり、樹脂層の存在により、肘サポート５の回転に際して金属音が発生することを防止できる。また、ブッシュは全体が樹脂製であると強度確保のためフランジの厚さ等の寸法をある程度に大きくする必要があるが、本実施形態のメタルブッシュ２５ａは本体が金属であるため、フランジの厚さを薄くしても強度を確保できる利点がある。
【００４０】
レールブラケット２６はその長手方向に沿って一端部寄りの偏よった部分において筒体２５に連結されており、レールブラケット２６の上面板２６ｂのうち透かし穴３１と他端面との間には、平面視角形で細長いガイド穴３３が長手中心線に沿って延びるように形成されている。なお、レールブラケット２６の内部にナット３０を配置して、これにボルト２９を下方からねじ込むことも可能である。言うまでもないが、ボルト２９に代えて他の連結部材（例えばスナップリング付きのピン）を採用しても良い。
【００４１】
肘サポート５は樹脂製の基材３４の上面にクッション３５を張った構造であり、上面は横断面視において上向きに開口した状態に緩く凹んでいる（クッション３５は基材にインサート成形しても良いし、接着又は嵌め込んでも良い）。基材３４には、レールブラケット２６の長手側面に密接する一対の抱持部３４ａが長手方向に延びるように形成されている。抱持部３５ａの下端には上向き抜け不能に保持する鉤部３５ｂを一体に形成しており、このため、肘サポート５はその長手方向に沿ってスライドし得る。また、基材３４の底面部には、レールブラケット２６のガイド穴３３に嵌まり込むストッパー突起３６を設けている。
【００４２】
前記ストッパー突起３６は、基材３４の底面部にコ字状のスリット３７を設けることによって形成された細長い梁状部３８の先端に形成しており、かつ、ストッパー突起３５の下端のうち梁状部３８の付け根と反対側には傾斜面３５ａが形成されている。このため、ストッパー突起３５は梁状部３８が上向きに撓み変形することを利用してレールブラケット２６のガイド穴３３に嵌め込むことができる。従って、肘サポート５は、レールブラケット２６に重ねた状態で押し込むというワンタッチ的な操作でレールブラケット２６に取り付けられる。
【００４３】
また、レールブラケット２６の下面板２６ａのうち筒体２５と反対側の部位には、平面視でガイド穴３３の端部と重なる補助穴３９が空いている。そして、この補助穴３９からドライバー等にてストッパー突起３６を押し上げることにより、ストッパー突起３６をガイド穴３３から外して肘サポート５をレールブラケット２６から取り外すことができる。ストッパー突起３５はストローク規制手段の一例であり、このストッパー突起３６により、肘サポート５がその長手方向にスライドするストロークが記載される。
【００４４】
なお、ストッパー突起３６は基材３４とは別体に構成することも可能である。例えばストッパー突起としてビスを使用して、これを補助穴３９から基材３４の底面部にねじ込み固定するといったことも可能である。また、基材３４の底面に長溝を形成して、レールブラケット２６に突起（例えばビス）を長溝に嵌め込むといったことも可能である。
【００４５】
(4).まとめ
既述のとおり、肘サポート５はその長手方向に沿ってスライド自在でかつ筒体２５を中心にして水平回動自在であるため、使用者は左右の腕の位置と姿勢を自由に変えることができる。換言すると、人の意思によって腕の位置や姿勢を変えようとすると腕に追従して肘サポート５が動いてくれる。
【００４６】
このため、肘を肘サポート５に載せた状態のままで腕を動かして各種の作業を容易に行うことができる。本実施形態のように支柱４に左右の肘サポート５のみを設けると、使用者の視界が広がるため作業を行い易く、また、上半身を大きく前移動させることができるため、例えば肘サポート５から手を離して遠くの物を取るといったことも容易に行える。
【００４７】
また、肘サポート５は細長いため、腕の自由を確保しつつ下膊を広い範囲にわたって肘サポート５で支持することができ、このため人が作業するに当たって腕に負担がかかることを著しく軽減できる。
【００４８】
本実施形態の肘サポート５はくるくる回転させ得る訳ではなく、図５から理解できるように、左の枝フレーム１７を例に採ると、ベースブラケット２７の側板２７ｂが枝フレーム１７の背面に当たることで時計回り方向の回転が規制されて、肘サポート５は平面視で枝フレーム１７と略平行に延びる基準姿勢から時計回りには回転させることができない。他方、ベースブラケット２７の背板２７ａが枝フレーム１７の前面に当たることで半時計回り方向の回転が規制される。すなわち、左右の肘サポート５は平面視逆ハの字の姿勢までしか外回りに回転させることはできない。
【００４９】
既述のとおり、通常の人が肘を曲げた状態で腕を水平に回し得る姿勢に限度があり、約１００°程度しか回すことができない。本実施形態の肘サポート５は人の腕の可動範囲に準拠しているものであり、このため、肘サポート５が何らかの弾みで外向き回転し過ぎて肘を痛めるといったことはない。肘サポート５の水平回動できる範囲は基準状態から９０〜１１０°程度が好適と言える。
【００５０】
例えばベッドに寝た人に近づいて介護する場合、肘サポート５が前向き姿勢であると介護者は被介護者に身体（顔）を近づけ難いが、本実施形態（及び第２実施形態）では肘サポート５を横向き姿勢にすることにより、介護者は肘を左右に大きく広げて前屈みになって顔を被介護者にうんと近づけることができる。このため、介護者と被介護者とのコミュニケーションのアップに貢献できる。また、肘サポート５が前後に向いていると、肘サポート５が被介護者の顔に近づくことにより、被介護者に不安感を与える虞が有り得るが、左右の肘サポート５を横長姿勢にすると、被介護者の不安感をなくすことができる利点もある。
【００５１】
また、肘サポート５が枝フレーム１７と略平行な横長姿勢の場合、肘はおおむね肘サポート５の左右中間部に載っていることがで多く、この場合、作業内容によっては肘で肘サポート５が手前側に押され気味になることがあるが、本実施形態ではベースブラケット２７の側板２７ｂが枝フレーム１７に当たることで肘サポート５の回動が阻止されるため、肘サポート５を横長姿勢にした状態のままで安心して腕に力を掛けることができる。この点も本実施形態の利点である。
【００５２】
図２（Ｃ）に示すように、枝フレーム１７の筒体２５は隣合ったキャスター９を結ぶ線よりも若干の寸法だけ内側に位置させており。このため、肘サポート５にかかった荷重は常に隣合ったキャスター９を結ぶ線よりも内側の領域で支持されることになり、その結果、肘サポート５に大きな下向き荷重が掛かっても椅子が転倒するような不具合は生じない。
【００５３】
なお、肘サポート５のスライド許容手段として本実施形態のように肘サポート５の基材３４でレールブラケット２６を抱持する形態を採用すると、基材３４とレールブラケット２６とが嵌り合う巾寸法及び長さ寸法を大きくできるため、肘サポート５は大きなスライドストローク確保しつつ高い安定性を確保できる利点がある（肘サポート５に対する支持強度を向上できる。）。また、支柱４を若干の角度で後傾させ得る構成を採用すると、上半身に対するロッキング機能が発揮されるため身体への負担を軽減できて好適である。レールブラケット２６とベースブラケット２７とは一体物に製造することも可能である。
【００５４】
ところで、使用者が一般に男性の場合は座３に跨がるように腰掛けることに抵抗はないが、女性の場合は座３に跨がって腰掛けることに心理的な抵抗があったりスカートを着用している場合には腰掛けにくいといった場合がある。また、男性・女性を問わず、足を開きにくいといった障害によって座３に跨がりにくい場合もある。
【００５５】
この点、図１（Ａ）に一点鎖線で示すように支柱４のうち着座した人の大腿部上面よりも下方の部位を片側（右側）の肘サポート５の側に寄せると、人は足を揃えた状態で腰掛けながら肘サポート５を使用できる利点がある（この点は第２実施形態にも適用できる）。
【００５６】
(5).第２実施形態
次に、図８〜図１２に示す第２実施形態を説明する。図８のうち（Ａ）は斜視図で（Ｂ）は正面図、図９のうち（Ａ）は全体の平面図で（Ｂ）は左右肘サポート５を同一線状に揃えた状態での部分的な平面図、図１０は側面図、図１１のうち（Ａ）は背面図、（Ｂ）は（Ａ）のＢ−Ｂ視断面図、（Ｃ）は（Ａ）のＣ−Ｃ視断面図、（Ｄ）（Ｅ）は変形例を示す図、図１２のうち（Ａ）は胸当て４１の平面図、（Ｂ）は（Ａ）のＢ−Ｂ視断面図である。
【００５７】
第２実施形態は基本的には第１実施形態と同様であり、大きな相違点として、第１実施形態では脚装置１に足載せ用リング８を設けていたが第２実施形態では設けていない点、第１実施形態では座受けベース２に座３を固定していたが、第２実施形態では座３は座受けベース２に回転自在に取付けられている点、第１実施形態では支柱４に肘サポート５のみを取り付けていたが第２実施形態では支柱４に胸当て（或いは腹当て）４１も取付けている点、の三点が挙げられる。以下、主として第１実施形態と相違する点を中心にして第２実施形態を説明する。第１実施形態と同じ構成要素には同じ符号を付している。
【００５８】
脚装置１は基本的には第１実施形態と同じであり、各キャスター９は第１実施形態と同様に下向き荷重が掛かるとブレーキ（ロック）が掛かるものを使用している。脚支柱６であるガスシリンダのロックを解除するレバー１０は座受けベース２に設けている。座３は第１実施形態と同じ平面形状及び構造になっている。本実施形態では、座３は座受けベース２に軸受け部材９を介して水平回転自在に取付けられているが、軸受け部材４２は座受けベース２のうち脚支柱６の軸心を挟んで支持アーム１３と反対側にずれた位置に配置している。
【００５９】
なお、本実施形態では、座３は、先窄まり部３ａを支柱４に近づけた姿勢と先窄まり部３ａを支柱４と反対側に位置させた姿勢との両方の姿勢で使用することが可能であり、後者の姿勢では人は胸当て４１と反対側を向いて腰掛けることになる（この場合は胸当て４１は背もたれとして機能する。）。なお、座３は基板１１のみの単一構造と成すことも可能であり、この点は第１実施形態も同じである。
【００６０】
支持アーム１３は座受けベース２に固定されている。支柱４は下クランプ体４３を介して支持アーム１３の支持筒１４で高さ調節自在に支持されている。支柱４には、上クランプ体４４を介して受け筒４５を高さ調節自在に嵌め入れ、受け筒４５に固着した左右の枝フレーム１７に肘サポート５を取付けている。従って、本実施形態では枝フレーム１７は受け筒４５を介して支柱４に取付けられている。
【００６１】
上下のクランプ体４３，４４（ストッパーと言い換えても良い）は同じ構造であり、図１１（Ｃ）に示すように、支柱４を抱持する非環状の挟持体４６を備えており、挟持体４６の先端部の間隔をボルト付きハンドル４７で広狭を変えることにより、支柱４に落下不能に取り付いたロック状態と自在に昇降し得るフリー状態とに変更できるようになっている。本実施形態では、胸当て４１と肘サポート５とは個別に高さ調節することができる。
【００６２】
図１２に示すように、肘当て５を構成する基材３４の下面には長手方向に延びる下向き凸部４８が一体に形成されており、凸部４８に、上向き開口の上長溝４９と下向き開口の下長溝５０とが基材３４の長手方向に延びるように形成されており、更に、下長溝５０には補強板５１が嵌め入れられている。そして、上下長溝４９，５０の間の部分と補強板５１とに、上下長溝４９，５０の長手方向に延びる長穴５２が形成されている。
【００６３】
一方、枝フレーム１７の先端部は鉛直姿勢に折り曲げ形成されており、枝フレーム１７の先端にブッシュ５３を回転不能に固着し、このブッシュ５３に、肘サポート５における基材３４の凸部４８に下方から重なるフランジ５４を一体に形成している（ブッシュ５３とフランジ５４とは別体とすることも可能である）。更に、肘サポート５の基材３４及び補強板５１の長穴５２に嵌め入れたカラー５５を介してフランジ付きボルト５６をブッシュ５３にねじ込んでいる。
【００６４】
ボルト５６をしっかりねじ込んだ状態で、ボルト５６のフランジ５６ａと基材３４における上長溝４９の底面との間に若干の隙間が空くように設定しており、このため、肘当て５は長穴５２の範囲において水平スライドさせ得ることができ、かつ、ボルト５６を中心にして自在に水平旋回させて任意の姿勢を採ることができる。
【００６５】
胸当て４１は上下長手でかつ正面視で上部と下部とが円弧状に形成されていて全体として小判形になっており、支柱４の上端に取り付けられている。胸当て４１は側面視でやや後傾した姿勢になっている。また、胸当て４１は左右横幅は一般成人の胸が当たり得る程度の寸法に設定している。すなわち、腕の付け根が当たらない程度の寸法であり、具体的には１５〜２０ｃｍ程度でよいと言える。胸当て４１の上下長さは、一般成人の胸と腹とに跨がって当たる程度の寸法に設定しており、具体的には、２５〜３５ｃｍ程度でよいと言える。
【００６６】
図１１（Ｂ）に示すように、胸当て４１は樹脂等のインナーシェル５８にクッション５９を張った構造になっており（クロスも張られている）、インナーシェル５６には合板等の支持板６０が固定されており、支持板６０がフランジ付き継手６１を介して支柱４の上端に固定されている。
【００６７】
胸当て４１は側面視での角度を自在に変更できる状態で支柱４に取り付けることも可能である。この構造の一例を図１１（Ｄ）（Ｅ）に変形例として示している。すなわち（Ｄ）は縦断側面図、（Ｅ）は平面図であり、この例では、継手６１を小判形のパイプ材で形成して上下長手の姿勢に配置し、継手６１における広幅の側板に胸当て４１と反対側に張り出した軸受け部６１ａを形成し、この軸受け部６１ａを水平状のピン６２で支柱４に連結することにより、胸当て４１の側面視姿勢を変更可能としている。
【００６８】
この変形例の場合、支柱４の上端に、継手６１の内部に入り込むストッパー部４ａを折り曲げ又は溶接によって設け、胸当て４１が側面視で鉛直姿勢のときには継手６１の上内面をストッパー部４ａの上面に重ならせる一方、胸当て４１を後傾状に傾けると、継手６１の下内面がストッパー部４ａの先端部下面に当たるように設定しており、これにより、胸当て４１の傾動範囲を規制している。勿論、胸当て４１を傾動可能とする構成、及び、傾動範囲を規制する構成は様々に具体化できる。
【００６９】
本実施形態のように胸当て４１を設ける場合、胸当て４１を支柱４に対して着脱式と成すことも可能である。例えば、胸当て４１を棒材製又はパイプ製のロッドに固定して、ロッドをパイプ製の支柱４に上方から抜き差し自在と成すことにより、胸当て４１付きの態様と胸当て４１無しの態様とを自由に選択することが可能である。
【００７０】
また、第２実施形態から胸当て４１を無くした形態も採用できる（この場合は、受け筒４５を無くして支柱４の上端に枝フレーム１７を固着しても良いし、例えば図１１（Ａ）において支柱４の上端を受け筒４５の上端に揃えても良い。）。
【００７１】
(6).その他
本願発明は上記の実施形態の他にも様々に具体化できる。例えば肘サポートや座の平面形状は図示のものに限らないのであり、例えば肘サポート及び座とを平面視円形又は楕円形に形成するといったことも可能である。胸当て（又は腹当て）を設ける場合、その形状も任意に設定できる。肘サポートを人の腕の動きに追従させる方法としては、実施形態のように肘サポートのスライドと水平回転との組み合わせを利用することに限らず、例えば、水平回動する２つのリンクを使用するといったことも可能である。
【００７２】
支柱はパイプ状又は棒状でなくてもよく、例えばチャンネル状（樋状）等の任意の形態を採用できる。要は肘サポートを直接に又は他の部材を介して支持できれば良い。椅子は固定式となすことも可能である。
【図面の簡単な説明】
【００７３】
【図１】第１実施形態の全体図であり、（Ａ）は椅子の斜視図で（Ｂ）は正面図である。
【図２】（Ａ）は使用状態の背面斜視図で（Ｂ）（Ｃ）は平面図である。
【図３】（Ａ）は図２（Ｂ）における座３のみの III-III視断面図、（Ｂ）は他の部材も表示した状態での図２（Ｂ）の III-III視断面図である。
【図４】椅子の部分正面図である。
【図５】図５は図４及び図７（Ａ）の V-V視断面図である。
【図６】（Ａ）は肘サポートの取付けの構造を示す分離斜視図で（Ｂ）は平面図である。
【図７】（Ａ）は図５ VII-VII視断面図で（Ｂ）は（Ａ）のＢ−Ｂ視断面図である。
【図８】第２実施形態の外観を示す図で、（Ａ）は斜視図で（Ｂ）は正面図である。
【図９】（Ａ）は全体の平面図、（Ｂ）は左右肘サポートを同一線状に揃えた状態での部分的な平面図である。
【図１０】椅子の側面図である。
【図１１】（Ａ）は背面図、（Ｂ）は（Ａ）のＢ−Ｂ視断面図、（Ｃ）は（Ａ）のＣ−Ｃ視断面図、（Ｄ）（Ｅ）は変形例を示す図である。
【図１２】（Ａ）は肘サポートの平面図、（Ｂ）は（Ａ）のＢ−Ｂ視断面図である。
【符号の説明】
【００７４】
１  脚装置
２  座受けベース
３  座
４  支柱
５  肘サポート
６  脚支柱（ガスシリンダ）
１３  支持アーム
１７  枝フレーム
２６  レールブラケット
２７  ベースブラケット
４１  胸当て
【図１】
2008062014.tif 000003
【図２】
2008062014.tif 000004
【図３】
2008062014.tif 000005
【図４】
2008062014.tif 000006
【図５】
2008062014.tif 000007
【図６】
2008062014.tif 000008
【図７】
2008062014.tif 000009
【図８】
2008062014.tif 000010
【図９】
2008062014.tif 000011
【図１０】
2008062014.tif 000012
【図１１】
2008062014.tif 000013
【図１２】
2008062014.tif 000014